(57)【特許請求の範囲】
【請求項１】
複数の導電性トレースにワイヤボンディングするための半導体ダイ（４２）を備える集積回路（４０００）であって、
前記半導体ダイの側面と垂直な軸（１）に沿って延び、かつ前記半導体ダイ（４２）に近い第一端と前記第一端の反対側に第二端とを有する第一基板トレース（４８）と、
第一端及び第二端を有し、前記軸（１）に沿って延びるトレース部分（１４２）、前記半導体ダイの側面と垂直でかつ前記軸（１）とは異なる軸（２）に沿って延びるトレース部分（１４０）、及び前記両トレース部分（１４０，１４２）を繋ぐ中央トレース部分（１４４）を含む第二基板トレースと、
前記半導体ダイ上に位置し、第一ワイヤ（５４）を用いて前記第二基板トレースの第一端に接続される第一ボンディングパッド（４４）と、
前記第一ボンディングパッドに隣り合って配置され、前記半導体ダイ上に位置し、第二ワイヤ（５２）を用いて前記第一基板トレースの第一端に接続される第二ボンディングパッド（４６）と、
第一端を有し、その第一端が第三ワイヤ（１１０）を用いて前記第一基板トレースの第二端に接続される第三基板トレース（１０４）とを備え、
前記第一ワイヤ（５４）は、前記第一ワイヤ（５４）及び前記第二ワイヤ（５２）の各長さの中間点で前記第二ワイヤ（５２）と交差し、
前記第三ワイヤ（１１０）は、前記第三ワイヤの第一端及び第二端間の中間点と、前記第二基板トレースの第一端及び第二端間の中間点とで前記第二基板トレースと交差し、
前記第一ワイヤ（５４）、前記第二ワイヤ（５２）及び前記第三ワイヤ（１１０）の少なくとも一つはチタン又はタングステンからなる集積回路。
【請求項２】
請求項１記載の集積回路において、
前記第一基板トレース及び第三基板トレースは等しい表面積を有する集積回路。
【請求項３】
請求項１記載の集積回路において、
前記第一基板トレース、前記第二基板トレース及び前記第三基板トレースの少なくとも一つは銅又はタングステンからなる集積回路。
【発明の詳細な説明】
【技術分野】
【０００１】
本発明は、半導体のパッケージングに係り、詳しくは、ワイヤボンディングを用いる半導体パッケージに関する。
【背景技術】
【０００２】
集積回路の一形態では、半導体ダイのボンドパッドが、ワイヤボンディングを用いて、基板内のトレースと称される導電体に対し電気的に接続されている。このため、集積回路では、金、銀、アルミニウムや銅等の金属からなる裸のボンドワイヤが用いられる。そのため、ボンドワイヤが互いに接触すると、ボンドワイヤは、回路を電気的に短絡させてしまう虞がある。ボンドワイヤ間での接触を防止するため、集積回路は、裸のボンドワイヤが物理的に互いに交差又は重なり合うことのないように設計されている。このような設計上の制約を満たすため、集積回路は、裸のボンドワイヤを交差させないように設計しなければならない。こうした設計上の制約により、最適な大きさの物理的な配置が得られないことがある。また、高温のプラスチックが集積回路アセンブリ上で成型される場合、裸のボンドワイヤが他の裸のボンドワイヤに垂れ下がることもある。高温のプラスチックが集積回路上で成型されると、高温プラスチックによって、裸のボンドワイヤが全体的に押し付けられることがある。このような問題を防ぐため、ボンドワイヤ部位間には、隙間が付加されてきた。
【発明の開示】
【発明が解決しようとする課題】
【０００３】
ワイヤボンディングアセンブリを用いるとき、半導体パッケージングに関する更に別の問題を考慮しなければならない。例えば、二本のボンドワイヤや二つのトレースが互いに近接している場合、二つのボンドワイヤ間、即ち二つのトレース間には、ノイズカップリングが存在することが多い。ノイズカップリング又はクロストークノイズによる負の作用を最小限に抑えるため、設計者は、デジタル回路をアナログ回路から分離させる。しかしながら、こうした分岐は、集積回路の設計に対し、不都合な設計上の制約を課すことになり、回路スペースを効率良く使用できないことの要因となり得る。隣接するワイヤ及びトレースが、集積回路ダイとパッケージングアセンブリとの間の距離を超えて存在する場合、隣接するワイヤやトレースからのノイズによる影響を最小限に抑えるため近接配置された基準面が存在しない。ボンドワイヤ及びトレースにカップリングされたノイズによって、動作エラーが発生する。
【０００４】
ボンドワイヤを用いる半導体パッケージにおいて、エラーに寄与する更に別のノイズ発生源は、ボンドワイヤ及びトレースの自己インダクタンスに起因する。導電体のインダクタンスは、信号経路の電気特性を変化させ、それゆえに、回路の動作が変化してしまう。
【課題を解決するための手段】
【０００５】
一形態において、複数の導電性トレースにワイヤボンディングするための半導体ダイを備えた集積回路が提供される。第一基板トレースは、第一端及び第二端を有する。第二基板トレースは第一端を有し、第二基板トレースは第一基板トレースの側面に沿って整列される。第一ボンディングパッドは半導体ダイ上に位置し、第一ボンディングパッドは、第一ワイヤを用いて第二基板トレースの第一端に接続される。第二ボンディングパッドは、第一ボンディングパッドの側面に沿って整列され、半導体ダイ上に位置する。第二ボンディングパッドは、第二ワイヤを用いて第一基板トレースの第一端に接続される。第三基板トレースは第一端を有し、第三基板トレースの第一端は第三ワイヤを用いて第一基板トレースの第二端に接続される。第三ワイヤは第二基板トレースを越える。一形態において、第三ワイヤは、その第一端及び第二端間の略中間位置と、第二基板トレースの第一端及び第二端間の略中間位置とで第二基板トレースを越える。更に別の形態において、第一基板トレースの大きさや表面積と、前記第三基板トレースの大きさや表面積とがほぼ等しい。更に別の形態において、少なくとも一つの攻撃信号が干渉磁場を生成し、その干渉磁場は、第一基板トレースと第二基板トレースとの間に第一磁束を生成する。干渉磁場は、第二基板トレースと第三基板トレースとの間に第二磁束を生成する。第一磁束は、第二磁束の大部分を相殺する。更に別の形態において、第一基板トレース、第二基板トレース及び第三基板トレースの少なくとも一つは、銅又はタングステンからなる。複数の導電性トレースにワイヤボンディングする半導体ダイは、第一端及び第二端を有する第一基板トレースを含む。第二基板トレースは、第一端及び第二端を有し、第二基板トレースは、第一基板トレースの側面に沿って整列される。第一ボンディングパッドは、半導体ダイ上に位置する。第一ボンディングパッドは、第一ワイヤを用いて第二基板トレースの第一端に接続される。第二ボンディングパッドは、第一ボンディングパッドの側面に沿って整列され、半導体ダイ上に位置する。第二ボンディングパッドは、第二ワイヤを用いて第一基板トレースの第一端に接続される。第三基板トレースは第一端を有し、その第一端は、第三ワイヤを用いて第二基板トレースの第二端に接続される。第四基板トレースは第一端を有し、第四基板トレースは、第三基板トレースの側面に沿って整列される。第四基板トレースの第一端は、第四ワイヤを用いて第一基板トレースの第二端に接続され、第三ワイヤは、第四ワイヤと交差する。更に別の形態において、第三ワイヤ及び第四ワイヤは、第三ワイヤの第一端及び第二端間の略中間位置と、第四ワイヤの第一端及び第二端間の略中間位置とで交差する。更に別の形態において、第一基板トレース、第二基板トレース、第三基板トレース及び第四基板トレースの大きさや表面積はほぼ等しい。更に別の形態において、少なくとも一つの攻撃信号が干渉磁場を生成し、干渉磁場は第一基板トレースと第二基板トレースとの間に第一磁束を生成する。更に別の形態において、磁場は、第三基板トレースと第四基板トレースとの間に第二磁束を生成し、第一磁束は、第二磁束の大部分を相殺する。更に別の形態において、第三ワイヤ及び第四ワイヤの長さはほぼ等しい。更に別の形態において、第五基板トレースは第一端を有し、第五基板トレースの第一端は、第五ワイヤを用いて第四基板トレースの第二端に接続される。第六基板トレースは第一端を有し、第六基板トレースは、第五基板トレースの側面に沿って整列される。第六基板トレースの第一端は、第六ワイヤを用いて第三基板トレースの第二端に接続される。第五ワイヤは第六ワイヤと交差する。更に別の形態において、第一基板トレース、第二基板トレース、第三基板トレース、第四基板トレース、第五基板トレース及び第六基板トレースのサイズ又は表面積は、ほぼ等しい。
【０００６】
更に別の形態において、本明細書において、複数の導電性トレースにワイヤボンディングする半導体ダイを備えた集積回路が提供される。基板トレースは第一端を有する。第二基板トレースは第一端を有し、第二基板トレースは、第一基板トレースの側面に沿って整列される。第一介入基板トレースは、第一基板トレースと第二基板トレースとの間に位置する。第一介入基板トレースは第一端を有する。第一ボンディングパッドは半導体ダイ上に位置する。第一ボンディングパッドは、第一ワイヤを用いて第二基板トレースの第一端に接続される。第二ボンディングパッドは、第一ボンディングパッドの側面に沿って整列され、半導体ダイ上に位置する。第二ボンディングパッドは、第二ワイヤを用いて第一基板トレースの第一端に接続される。第一介入ボンディングパッドは、第一ボンディングパッドと第二ボンディングパッドとの間に位置する。第一介入ボンディングパッドは、第三ワイヤを用いて介入基板トレースの第一端に接続され、第一ワイヤは、第三ワイヤ上で第二ワイヤと交差する。更に別の形態において、第一ワイヤ及び第二ワイヤは、第一ワイヤの第一端及び第二端間の略中間位置と、第二ワイヤの第一端及び第二端間の略中間位置とで交差する。更に別の形態において、第一ワイヤ及び第二ワイヤは、分離材料を介して分離され、分離材料は、第一ワイヤと第二ワイヤとを直接接触させないようにする。更に別の形態において、第一ワイヤ及び第二ワイヤはほぼ同じ長さを有している。‘ほぼ’との用語は、本明細書にて同じでなければ、実質的には同じかそれに近いといったよく使われる辞書の意味で使用される。ほぼ同じ長さのワイヤや同じ長さのワイヤの使用は、処理制御が簡略化されるため、製造上、有利である。更に別の形態において、第一基板トレース、第二基板トレース及び第一介入基板トレースの少なくとも一つは、銅かタングステンからなる。
【０００７】
更に別の形態において、複数の導電性トレースにワイヤボンディングするための半導体ダイを提供することにより、集積回路を形成する方法が本明細書にて提供されてきた。この方法は、第一基板トレースを提供するステップを含み、第一基板トレースは第一端を有する。第二基板トレースが提供され、第二基板トレースは第一端を有する。第二基板トレースは、第一基板トレースの側面に沿って整列される。第一ボンディングパッドは、半導体ダイ上に提供される。第一ボンディングパッドは、第一ワイヤを用いて第二基板トレースの第一端に接続される。第二ボンディングパッドは、半導体ダイ上に提供される。第二ボンディングパッドは、第一ボンディングパッドの側面に沿って整列される。第二ボンディングパッドは、第二ワイヤを用いて第一基板トレースの第一端に接続され、第二ワイヤは第一ワイヤと交差する。更に別の形態において、第一ワイヤと第二ワイヤとが、第一ワイヤの第一端及び第二端間の略中間位置と、第二ワイヤの第一端及び第二端間の略中間位置とで交差する。更に別の形態において、第一基板トレース及び第二基板トレースは同じ大きさを有し、第一基板トレース及び第二基板トレースの少なくとも一つは、銅又はタングステンから形成され、第一ワイヤ及び第二ワイヤは等しい長さを有している。
【発明を実施するための最良の形態】
【０００８】
以下の図面と本発明の以下の詳細な説明とから、前述され、かつ更に別の具体的な本発明の目的及び利点が、当業者に明らかにされるであろう。
平易さや明確さのため、構成要素が図示され、必ずしも実寸に従い図示されていないことは、当業者には明らかである。本発明の実施形態の理解をより一層深めるため、例えば、図中の幾つかの構成要素の大きさは、他の構成要素よりも誇張されている。
【０００９】
図１は、複数の導電性基板トレースに電気的に接続されたダイ１２を備える公知の半導体装置１０を示す。具体的には、ダイ１２は、例えば側面２４の外周に沿って、複数のボンドパッドを有している。図示される形態において、ボンドパッド１４，１６，１８，２０及び２２が備えられている。側面２４に沿う各ボンドパッドは、導電性トレースに接続されている。例えば、ボンドパッド１４は、ボンドワイヤ２６を介して導電性トレース２８に接続されている。ボンドパッド２０は、ボンドワイヤ３０を介してトレース３２に接続され、ボンドパッド２２はボンドワイヤ３４を介してトレース３６に接続されている。二次元透視図において、略長方形の領域３８が、ボンドパッド２０，２２と導電性トレース３２，３６の末端とによって形成され、ボンドワイヤ３０とボンドワイヤ３４との間に形成されることに注目すべきである。
【００１０】
作動時には、ボンドワイヤ２６、３０及び３４等の各ボンドワイヤにカップリングされたノイズが存在する。ノイズ発生源の一つは、近くにある他のボンドワイヤに起因する。ボンドワイヤに注入されるノイズの量は、ボンドワイヤ及びトレースの自己インダクタンスと、ボンドワイヤ間及びトレース間の相互インダクタンスとの関数である。ノイズカップリングに影響を及ぼす更に別の因子としては、側面２４に沿って互いに隣接する信号の種類が挙げられる。例えば、アナログ信号がデジタル信号と隣接する場合、アナログ信号は、論理値間のデジタル信号が移行する度にノイズを受信することになる。その結果、ダイ１２に導入される回路の設計では、ダイの外周に沿って外部へと導かれる信号の種類の配置を考慮しなければならない。従って、ボンドワイヤ及びトレースによって信号経路内にカップリングされたノイズを最小限に抑えるため、回路の設計は、一定の配置及び非効率的な大きさに限定されてしまう。
【００１１】
図２は、図１を参照して上述したノイズ発生源を減少させる半導体装置４０である。ダイ４２は、その側面に沿って複数のボンドパッド４４、４６、５６、５８、６８及び７０を有している。各ボンドパッドは、ボンドワイヤによって、外部の導電性トレース４８、５０、６０、６２、７２、７４、７５及び７７にそれぞれ接続されている。例えば、ボンドワイヤ５２は、ボンドパッド４６を導電性トレース４８に接続する。ボンドワイヤ５４は、ボンドワイヤ５２及びボンドワイヤ５４の各長さの略中間点でボンドワイヤ５２と重なり合い、交差する。ボンドワイヤ５４は、ボンドパッド４４を導電性トレース５０に接続する。同様に、ボンドワイヤ６４は、ボンドワイヤ６６と重なり合い、交差する。ボンドワイヤ６４は、ボンドパッド５８を導電性トレース６０に接続する。ボンドワイヤ６６は、ボンドパッド５６を導電性トレース６２に接続する。ボンドワイヤ７６は、ボンドワイヤ７８と重なり合い、交差する。ボンドワイヤ７６は、ボンドパッド７０を導電性トレース７２に接続する。ボンドワイヤ７８は、ボンドパッド６８を導電性トレース７４に接続する。二次元透視図において、二つの略三角形の領域８０，８２が、ボンドパッド６８，７０と導電性トレース７２，７４の末端とによってそれぞれ形成され、ボンドワイヤ７６，７８によって形成されることに留意すべきである。図２の点で示すように、更に別のボンドパッドは、更に別の導電性トレースと同様に、ダイ４２の側面に沿って想定されている。更に、導電性トレースは、特定の実施形態に適合する長さにしてもよく、角部を含んでもよい。更に、ボンドワイヤは、裸のワイヤ及び被覆ワイヤのいずれを用いてもよい。
【００１２】
作動時に、半導体装置４０が機能すると、各ボンドワイヤにカップリングされるノイズの量が最小限に抑えられる。隣接するボンドワイヤの対をそれらの略中間点で交差させることにより、各ボンドワイヤ内に取り込まれるノイズの量が、図１の半導体装置１０の場合のノイズの量よりもかなり減少する。半導体装置４０の全てのボンドワイヤ対がダイ４２の側面から派生するように図示したが、ダイ４２の中央領域等、ダイ４２内の任意の位置にボンドワイヤを形成してもよいことに留意すべきである。また、ダイの側面上にある全てのボンドワイヤを、必ずしも別のボンドワイヤと交差させる必要はない。
【００１３】
図３は、二つの平行な導電体、図１に示すボンドワイヤ３０及びボンドワイヤ３４間と、図２に示すボンドワイヤ７６及びボンドワイヤ７８間との比較である。ボンドワイヤ３０及びボンドワイヤ３４は領域３８を形成する。ボンドワイヤが交差する場合、二つのボンドワイヤ間の分離領域がかなり減少し、結果として、ボンドワイヤの自己インダクタンス量は、少なくとも二分の一にまで減少する。ボンドワイヤの自己インダクタンス量の減少によるノイズの低下に加えて、取り込まれるノイズは、ボンドワイヤが交差する場合にクロストークの減少によって最小化される。ボンドワイヤがそれらの中央点で交差し、均一な外部磁場が存在するとき、ボンドワイヤは、磁場からノイズを全く受け取らない。これは、図３から分かるが、図２の領域８０の磁束は、図２の領域８２の磁束と等量であるが、反対の極性を有している。磁場が均一でなければ、導電体はノイズを少しは吸収するものの、本明細書に提供される構造によれば、ノイズの大きさがかなり減少することに留意すべきである。領域３８の磁束Φは、磁場と領域３８の面積との積に等しい。同様に、領域８０，８２の磁束Φは、領域８０，８２の磁場と結合面積との積に等しい。ボンドワイヤ７８は、領域８０の上部左側と領域８２の下部右側とに配置されることに留意すべきである。従って、外部磁場が適用されると、反対の極性の磁束が発生する。その結果、ボンドワイヤ７６，７８間の磁束の総和はゼロになる。一方、図１の領域３８の磁束に関連する負の影響は存在しない。実際には、磁場が領域８０，８２の全体に亘って均一でなければ、各ボンドワイヤ導電体にカップリングした磁束が得られることに留意すべきである。しかし、ノイズの大きさはかなり減少させられる。また、ボンドワイヤ７６，７８がそれらの長さの中間点で交差しなければ、二つの三角形の領域は同じ面積にはならない。従って、また、幾らかの磁束が発生することになる。しかしながら、得られる二つの三角領域の磁束が互いに弱め合うように、かなりのノイズの低下が得られることに留意すべきである。
【００１４】
図４は、半導体装置４００を示す。説明を簡略化するため、図２の半導体装置４０と共通の構成要素には、同じ符号が付されている。各トレース４８、５０、６０、６２、７２、７４、７５及び７７は、二つの領域に分割されている。トレース４８は、中断ギャップやスペースを介し延長部１００によって延長され、ダイ４２の側面に対し垂直な同じ中央軸に概ね沿って延びている。延張部１００の末端には、半導体装置４００を支持する下層の基板と電気的に接触するビア１０２が設けられている。同様に、トレース５０は、中断ギャップを介し延張部１０４によって延長されている。延長部１０４の末端には、下層の基板と電気的に接触するビア１０６が設けられている。トレース６０は、中断ギャップを介し延長部１１４によって延長され、トレース６２は、中断ギャップを介し延長部１１６によって延長され、トレース７２は、中断ギャップを介し延長部１２２によって延長され、トレース７４は、中断ギャップを介し延長部１２４によって延長されている。トレース７５は、中断ギャップを介し延長部１３０によって延長され、トレース７７は、中断ギャップを介し延長部１３２によって延長されている。延長部１００や１０４等と同様に、各延長部１１４，１１６，１２２，１２４，１３０及び１３２は、ビア（符号無し）により終結されている。ボンドワイヤ１１０は、トレース５０を延長部１００と接続する。ボンドワイヤ１１２及びボンドワイヤ１１０は、両ボンドワイヤの略中間点で交差し、ボンドワイヤ１１２は、トレース４８を延長部１０４と接続する。ボンドワイヤ１１８は、トレース６２を延長部１１４に接続する。ボンドワイヤ１２０及びボンドワイヤ１１０は、両ボンドワイヤの略中間点で交差し、ボンドワイヤ１２０は、トレース６０を延長部１１６に接続する。ボンドワイヤ１２６は、トレース７４を延長部１２２と接続する。ボンドワイヤ１２８及びボンドワイヤ１２６は、両ボンドワイヤの略中間点で交差し、ボンドワイヤ１２８は、トレース７２を延張部１２４に接続する。ボンドワイヤ１３４は、トレース７７を延長部１３０に接続する。ボンドワイヤ１３６及びボンドワイヤ１３４は、両ボンドワイヤの略中間点で交差し、ボンドワイヤ１３６は、トレース７５を延長部１３２に接続する。
【００１５】
図示される形態において、半導体装置４００は、ボンドワイヤに取り込まれたノイズエラーだけでなく、導電性トレースに取り込まれたノイズエラーについても減少させるように機能する。交差ボンドワイヤを用いて導電性トレースの分割部分を接続することにより、導電性トレース間の磁束が互いに打ち消し合う。例えば、トレース４８及び延長部１００の長さが同じで、かつトレース５０及び延長部１０４の長さが同じ場合、各導電体にカップリングされた磁束は、ボンドワイヤ１１０，１１２を用い、各ワイヤの長さの中間位置で導電体の部分を交差させることによって、互いに打ち消し合う。従って、ノイズエラーは、ボンドワイヤ５２，５４及び導電性トレース４８，５０の両方で減少する。
【００１６】
トレース４８，５０とそれらの延長部１００，１０４とによって形成される導電性トレースの中央部分を横断するように、ボンドワイヤ１１０とボンドワイヤ１１２とを交差させることによって、クロストークは減少する。攻撃信号により生成される磁場は、導電性トレース４８，５０間に第一極性の磁束を生成する。同様に、磁場は、等量であるが正反対の極性を有する磁束を、延長部１００，１０４間にも生成する。従って、導電性トレース４８と延長部１０４とをボンドワイヤ１１２により接続し、導電性トレース５０と延長部１００とをボンドワイヤ１１０により接続することで、磁場によって両導電性トレース４８，５０及び両延張部１００，１０４内に取り込まれるノイズは最小化される。
【００１７】
図５は、半導体装置４０００を示す。説明を簡略化するため、図２の半導体装置４０と共通する構成要素には、同じ符号が付されている。図示されるトレースのうち一部が、トレースにカップリングしたノイズを減少するため分割されている。例えば、トレース４８は分離され、延長部１０４によって延長され、それらは、ボンドワイヤ１１０によって接続されている。トレース４８は、ダイ４２の側面からオフセットされ、ダイ４２の側面から略垂直に、“軸１”と付される軸に沿って延びている。図４のトレース５０に代えて、トレース部分１４０、トレース部分１４４及びトレース部分１４２を備えたトレースが提供される。また、トレース部分１４０は、トレース４８の場合とほぼ同じ量だけ、ダイ４２の側面からオフセットされている。トレース部分は、ダイ４２の側面から略垂直に、“軸２”と付される軸に沿って延びている。また、物理的に別の延長部１０４が軸２に沿って配置されている。また、トレース部分１４２が軸１に沿って配置されている。トレースは、ビア１０２によって終結している。ボンドワイヤ１１０は、中央トレース部分１４４の略中央を超えて延びていることに注目すべきである。同様に、トレース部分１４６、中央トレース部分１５０及びトレース部分１４８を備えたトレースが提供されている。トレース部分１５２、中央トレース部分１５６及びトレース部分１５４を備えたトレースが提供されている。ボンドワイヤ１１８は、中央トレース部分１５０の略中央を超えて延びることにより、導電性トレース６０を延長部１１６に接続する。ボンドワイヤ１２６は、中央トレース部分１５６の略中央を横切って延びることにより、導電性トレース７２を延長部１２４に接続する。トレース部分１５３、中央トレース部分１５５及びトレース部分１５７を備えたトレースが提供される。ボンドワイヤ１３６は、中央トレース部分１５５の略中央を超えて延びることにより、導電性トレース７５を延長部１３２に接続する。
【００１８】
作動時に、半導体装置４０００では、中間点で交差し、かつダイ４２のボンドパッドを所定の導電性トレースに電気的に接続するボンドワイヤ５２，５４が用いられる。更に、ボンドワイヤ１１０，１１８等のジャンパワイヤや交差しないボンドワイヤが、例えばトレース４８、６０といった交互の導電性トレースを、ダイ４２の側面から遠ざかるように異なる軸に沿って延びる導電性トレース延長部に対し電気的に接続するために用いられている。例えば、導電性トレース４８は第一軸上に配置され、延長部１０４は第二軸上に配置されている。部分１４０、１４４及び１４２により形成される導電性トレースの中央部分を超えてボンドワイヤ１１０を延長することにより、クロストークが減少する。攻撃信号により生成される磁場は、部分１４０、１４４と導電性トレース４８との間に第一極性の磁束を生成する。同様に、磁場は、部分１４４，１４２と延長部１０４との間に、等量ではあるが反対の極性を有する磁束を生成する。従って、導電性トレース４８と延長部１０４とをボンドワイヤ１１２で接続することにより、磁場により両導電性トレース内に取り込まれるノイズが最小化される。更に別の形態において、各、一部、又は連続的な導電性トレースを形状に合わせて更に延長してもよく、その延張した連続性導電性トレースの交互の側面上で、延長部１０４等の更に別の延長部（図示せず）により包囲してもよい。
【００１９】
図６は、半導体装置４００００を示す。説明を簡略化するため、図５の半導体装置４００００と共通する構成要素には、同じ符号が付されている。半導体装置４００００は、大きくは、図５の半導体装置４０００とワイヤボンディングの構造と、ダイ４２の各ボンドパッド４４、４６、５６、５８、６８、７０等を最初に所定の導電性トレースに接続する方法とが異なる。重なり合わないボンドワイヤが使用されている。ボンドワイヤ５４’は、ボンドパッド４４を導電性トレース４８に接続する。ボンドワイヤ５２’は、ボンドパッド４６をトレース部分１４０に接続する。ボンドワイヤ６６’は、ボンドパッド５６を導電性トレース６０に接続する。ボンドワイヤ６４’は、ボンドパッド５８をトレース部分１４６に接続する。ボンドワイヤ７８’は、ボンドパッド６８を導電性トレース７２に接続する。ボンドワイヤ７６’は、ボンドパッド７０をトレース部分１５２に接続する。ボンドワイヤ５４’、５２’、６６’、６４’、７８’及び７６’は互いに略平行である。図５の半導体装置４０００と同じ導電性トレース構造及びボンドワイヤパターンが、半導体装置４００００にて使用されている。
【００２０】
作動時に、半導体装置４００００では、ボンドワイヤ５４’、５２’等の交差しないボンドワイヤ、並びにボンドワイヤ１１０、１１８等のジャンパや交差しないボンドワイヤが、導電性トレースの外部ノイズを最小化するために用いられる。図２〜図５の実施形態とは異なり、半導体装置４００００は、二つのボンドワイヤが交差する場所を有していない。その結果、裸のワイヤを用いる用途にあっては、その信頼性を向上させることができる。図５を参照して上述した方法によって、磁場により攻撃信号から導電性トレース内に取り込まれたノイズが互いに打ち消し合う。
【００２１】
図７は、交差導電体アセンブリを備えた半導体パッケージの更に別の実施形態である半導体装置４０００００を示す。説明を簡略化するため、図４の半導体装置４００と共通する構成要素には、同じ番号が付されている。半導体装置４０００００は、導電性トレースの一部又は全てに対し、導電性トレースの複数の接続部分によりクロストーク障害が最小化されることが、図４の半導体装置４００とは大きく異なる。半導体装置は、導電性トレース７２，７４、及び延長部１２２，１２４に代えて、各導電性トレース７２，７４の各軸に沿って配置された複数の延長部を有している。例えば、ダイ４２の側面と垂直で、かつ導電性トレース７２が配置される同軸に沿って、延長部２４０、延長部２４２、及び介入ドットで示す一以上の更に別の延長部が存在している。ダイ４２の側面と垂直で、導電性トレース７４が配置される同軸に沿って、延長部２５０、延長部２５２、及び介入ドットで示す一以上の更に別の延長部が存在している。好適な実施形態において、各軸には、偶数個の金属部分（導電性トレース＋延長部）が含められている。
【００２２】
作動中、一以上の攻撃信号により生成される外部磁場は、導電性トレースの全長に亘って均一ではない。磁場の不均一性を補うため、多くの偶数個のトレース延長部が、ダイ４２の側面と垂直な同じ軸に沿って使用される。例えば、導電性トレース７２と延長部２４０〜２４２等の偶数個の導電性部分とが採用される。取り込まれたノイズは、隣接する導電性トレースとは対称であることから、上述したように補正される。導電性トレース７２，７４、延長部２４０，２５０等の偶数の導電性対が存在する場合、以下に示すように、等面積の反対の磁束が存在するような対称性が存在している。更に、ボンドワイヤ５４’、５２’等の交差しないボンドワイヤが、ボンドワイヤ１１０、２１０、１１８、２１２等の交差ボンドワイヤと共に使用される。導電性トレース７２と導電性トレース７４との間の領域では、固定量の外部ノイズ発生源からの磁束が存在する。磁場が導電体の全長に亘って均一である場合、延長部２４０と延長部２５０との間には等量の磁束が存在する。一方、交差ボンドワイヤ２６０，２６２によって、導電性トレース７２，７４間の磁束は、延長部２４０，２５０間の磁束と反対の極性を有している。従って、得られる磁束は０か、それに近い値である。
【００２３】
更に別の形態において、図７の半導体装置４０００００は、図４及び図５のように、物理的に交差し、ダイ４２のボンドパッドから派生する所定のボンドワイヤ対を採用してもよい。このような選択は、用途や、許容されるノイズエラー等に応じて行われる。７６’、７８’等の交差しないボンドワイヤはノイズに敏感であるものの、ボンドワイヤが短い場合には、エラーの多くが許容される。しかし、導電性トレースは、通常は十分に長いことから、ノイズ補正が必要とされる。従って、半導体装置４０００００では、最大量のノイズエラーが生じる虞のある場所で補正が提供される。半導体装置４０００００に関して奇数の導電性部分対が採用される場合、かなりのノイズが互いに打ち消し合うことに注目すべきである。しかし、奇数の導電性部分対によって、反対の磁束を有する領域が存在しない領域が存在することになる。
【００２４】
図８は、ボンドパッド３０４〜３１１を有するダイ３０２を備えた半導体装置３００を示す。各ボンドパッド３０４〜３１１は、ボンドワイヤによって、所定の導電性トレースに接続されている。ボンドパッド３０４は、ボンドワイヤ３４０により導電性トレース３２０に接続される。ボンドパッド３０５は、ボンドワイヤ３５０により導電性トレース３２５に接続される。ボンドパッド３０６は、ボンドワイヤ３４１により導電性トレース３２２に接続される。ボンドパッド３０７は、ボンドワイヤ３４２により導電性トレース３２３に接続される。ボンドパッド３０８は、ボンドワイヤ３４３により導電性トレース３２４に接続される。ボンドパッド３０９は、ボンドワイヤ３６０により導電性トレース３２１に接続される。ボンドパッド３１０は、ボンドワイヤ３４４により導電性トレース３２６に接続される。ボンドパッド３１１は、ボンドワイヤ３４５により導電性トレース３２７に接続される。他のボンドパッドと導電性トレースとが、点線で示すように存在している。
【００２５】
作動時に、半導体装置３００は、交差する二つのボンドワイヤ、即ちボンドワイヤ３５０，３６０を有しており、それらは、ボンドパッド３０５，３０９に接続されている。介在ボンドパッド３０７，３０８は、ダイ３０２上に配置されている。（１）ボンドパッド３０５，３０９が互いに電気的に関連するか、或いは、（２）導電性トレース３２１，３２５が互いに電気的に関連するかが考えられる。従って、ボンドワイヤ３５０，３６０によって、四点間に磁気カップリングループが得られる。ループの外形が図３で上述した大きな長方形とは異なり二つの三角形であることから、ボンドワイヤ３５０，３６０からなるループの自己インダクタンスは最小化されている。被覆ワイヤ又は裸のワイヤをボンドワイヤ３５０，３６０として用いてもよい。半導体装置３００では、互いに隣接せず、交差するボンドワイヤと関連する接続ボンドパッド間に一以上の介在ボンドパッドを有する二つのボンドワイヤを意図的に交差させていることに注目すべきである。各ワイヤの長さの中間点や、中間点付近で二つのボンドワイヤが交差することによって、各ワイヤの自己インダクタンスが低減され、クロストーク障害が抑制される。
【００２６】
さて、交差導電体を用いるアセンブリを備えた改良型半導体パッケージ及びその製造する方法が提供されたことは明らかである。交差ボンドワイヤと交差する導電性トレース部分とを用いることにより、関連する導電体の自己インダクタンスが低減される。自己インダクタンスがより低くなるほど、同時切換えノイズが低減され、信号インピーダンスの不連続性が低くなる。更に、交差ボンドワイヤと導電性トレース部分との間の相互インダクタンスは、異なる領域にて反対の極性を有する磁束が互いに打ち消し合うことで低減される。
【００２７】
上記の明細書において、特定の実施形態を参照し、本発明を説明してきた。しかし、以下の特許請求の範囲に記載される本発明の範囲から逸脱することなく、様々な改変や変更を行うことは、当業者にとって明らかである。例えば、本発明は、任意のワイヤボンド装置で使用してもよい。交差ワイヤ及び交差トレース構造は、差分信号対により用いられることで、ノイズカップリングを低減することができる。パッケージは、ＲＦ信号の効用及びその利益、電力供給及びアース接地の効用、感受性信号及びその基準の効用等を高める。任意の種類の導電性材料を、導電性トレースとボンドワイヤとに使用してもよい。通常は、金属が使用され、一般的には、金、銅、銀、チタン、タングステン、アルミニウム及びそれらの合金が使用される。被覆ワイヤ及び裸のワイヤのいずれかをボンドワイヤとして使用してもよい。成型射出により生じるワイヤスイープを減少させるため、最初に非導電性接着剤を用いて、ワイヤを固定してもよい。従って、明細書及び図面は、制限的ではなく、むしろ例示的な意味としてみなすべきであり、これら全ての変更は、本発明の範囲内に含めることを意図している。
【００２８】
有益性、他の利点及び問題の解決策を、特定の実施形態について上述してきた。しかし、有益性、利点、問題の解決策、及び任意の有益性、利点又は解決策をより顕著にし、又はより顕著にし得るあらゆる要素は、任意の請求項又は全ての請求項に重要な、必要な、又は本質的な特徴又は構成要素と解釈すべきではない。本明細書に使用されるように、“含む、備える”、“含んでいる、備えている”との用語やそれらの他の変形は、列挙された構成要素からなる工程、方法、品物、又は装置がそれらの構成要素だけを含むのではなく、明確には列挙されていない他の構成要素や上記の工程、方法、品物又は装置に固有の他の構成要素を含むように、包括的なものを網羅することを意図している。本明細書に使用されように、“ある一つの”との用語は、一つ又は複数として定義される。本明細書に使用される“複数”との用語は、二以上として定義される。本明細書に使用される“別の”との用語は、少なくとも第二の、又はそれ以上として定義される。本明細書に使用される“含んでいる”及び／又は“有している”との用語は、備えている（つまり、オープンランゲージ）として定義される。本明細書に使用される“接続された”との用語は、必ずしも直接的ではなく、必ずしも機械的ではないが、接続されているとして定義される。
【図面の簡単な説明】
【００２９】
【図１】ワイヤボンディングを用いる公知の半導体装置の斜視図。
【図２】本発明の一形態に従うワイヤボンディングを備えた半導体装置の斜視図。
【図３】交差する場合とは逆に平行である場合に二つの導電体と関連する結合領域を示す斜視図。
【図４】本発明の別の形態に従うワイヤボンディングを備えた半導体装置の斜視図。
【図５】本発明の更に別の形態に従うワイヤボンディングを備えた半導体装置の斜視図。
【図６】本発明の更に別の形態に従うワイヤボンディングを備えた半導体装置の斜視図。
【図７】本発明の更に別の形態に従うワイヤボンディングを備えた半導体装置の斜視図。
【図８】本発明の更に別の形態に従うワイヤボンディングを備えた半導体装置の斜視図。
【図１】
0005604031.tif 000002
【図２】
0005604031.tif 000003
【図３】
0005604031.tif 000004
【図４】
0005604031.tif 000005
【図５】
0005604031.tif 000006
【図６】
0005604031.tif 000007
【図７】
0005604031.tif 000008
【図８】
0005604031.tif 000009